(57)【要約】  本発明はバーチャルＳＩＭカードのアクティベーションの方法及び装置に関し、通信技術分野に属する。前記方法は、バーチャルＳＩＭカードのオンコマンドを受信することと、前記オンコマンドに基づいてシングルカードモードを含む、端末の現在通話モードを検出することと、前記現在通話モードに基づき、前記現在通話モードに対応する、デュアルカードモードを含む目標通話モードを設定することとを含み、シングルカードモードの端末のバーチャルＳＩＭカードと実体ＳＩＭカードが併存できない問題を解決し、バーチャルＳＩＭカードと実体ＳＩＭカードが併存できる効果に達する。【選択図】図1
2018509006.tif 000002
【特許請求の範囲】
【請求項１】
バーチャルＳＩＭカードのアクティベーションの方法であって、
バーチャルＳＩＭカードのオンコマンドを受信することと、
前記オンコマンドに基づき、シングルカードモードを含む、端末の現在通話モードを検出することと、
前記現在通話モードに基づき、前記現在通話モードに対応する、デュアルカードモードを含む目標通話モードを設定することと、
を含むことを特徴とする方法。
【請求項２】
前記端末の現在通話モードがシングルカードモードである場合に、前記現在通話モードに対応する前記目標通話モードはデュアルカードモードであり、
前記現在通話モードに基づき、前記現在通話モードに対応する目標通話モードを設定することは、
前記バーチャルカードスロットに前記バーチャルＳＩＭカードの国際移動体加入者識別番号のリソース情報を配置することと、
前記国際移動体加入者識別番号のリソース情報に基づいて前記バーチャルＳＩＭカードのネットワークアクセス操作を実行することと、
を含むことを特徴とする請求項１に記載の方法。
【請求項３】
前記現在通話モードに基づき、前記現在通話モードに対応する目標通話モードを設定することは、
前記端末の現在通話モードがシングルカードモードである場合に、モードの切替を行うか否かをユーザーに注意喚起する切替プロンプトメッセージを表示することと、
ユーザーの前記切替プロンプトメッセージに基づいた切替コマンドを受信することと、
前記切替コマンドに基づいて前記現在通話モードに対応する目標通話モードを設定することと、
を含むことを特徴とする請求項１に記載の方法。
【請求項４】
前記切替プロンプトメッセージは音声プロンプトメッセージ又は文字プロンプトメッセージであることを特徴とする請求項３に記載の方法。
【請求項５】
前記オンコマンドに基づいて端末の現在通話モードを検出することは、
前記オンコマンドに基づいて前記端末のモード属性パラメータを照会することと、
前記モード属性パラメータで示される現在通話モードを決定することと、
を含むことを特徴とする請求項１〜４のいずれかに記載の方法。
【請求項６】
バーチャルＳＩＭカードのアクティベーションの装置であって、
バーチャルＳＩＭカードのオンコマンドを受信するように構成された受信モジュールと、
前記オンコマンドに基づいてシングルカードモードを含む、端末の現在通話モードを検出するように構成された検出モジュールと、
前記現在通話モードに基づき、前記現在通話モードに対応する、デュアルカードモードを含む目標通話モードを設定するように構成された設定モジュールと、
を備えることを特徴とする装置。
【請求項７】
前記端末の現在通話モードがシングルカードモードである場合に、前記現在通話モードに対応する前記目標通話モードがデュアルカードモードであり、
前記設定モジュールは、
前記バーチャルカードスロットに前記バーチャルＳＩＭカードの国際移動体加入者識別番号のリソース情報を配置するように構成された配置サブモジュールと、
前記国際移動体加入者識別番号のリソース情報に基づいて前記バーチャルＳＩＭカードのネットワークアクセス操作を実行するように構成された実行サブモジュールと、
を備えることを特徴とする請求項６に記載の装置。
【請求項８】
前記設定モジュールは、
前記端末の現在通話モードがシングルカードモードである場合に、モードの切替を行うか否かをユーザーに注意喚起する切替プロンプトメッセージを表示するように構成された表示サブモジュールと、
ユーザーの前記切替プロンプトメッセージに基づいた切替コマンドを受信するように構成された受信サブモジュールと、
前記切替コマンドに基づいて前記現在通話モードに対応する目標通話モードを設定するように構成された設定サブモジュールと、
を備えることを特徴とする請求項６に記載の装置。
【請求項９】
前記切替プロンプトメッセージは音声プロンプトメッセージ又は文字プロンプトメッセージであることを特徴とする請求項８に記載の装置。
【請求項１０】
前記検出モジュールは、
前記オンコマンドに基づいて前記端末のモード属性パラメータを照会するように構成された照会サブモジュールと、
前記モード属性パラメータで示される現在通話モードを決定するように構成された決定サブモジュールと、
を備えることを特徴とする請求項６〜９のいずれかに記載の装置。
【請求項１１】
バーチャルＳＩＭカードのアクティベーションの装置であって、
バーチャルＳＩＭカードのオンコマンドを受信し、
前記オンコマンドに基づいてシングルカードモードを含む、端末の現在通話モードを検出し、
前記現在通話モードに基づき、前記現在通話モードに対応する、デュアルカードモードを含む目標通話モードを設定するように構成された
プロセッサと、
前記プロセッサの実行可能なコマンドを記憶するためのメモリと、
を備えることを特徴とする装置。
【発明の詳細な説明】
【技術分野】
【０００１】
本発明は、出願番号２０１５１１０２７８１９.８であり、出願日が２０１５年１２月３０日である中国特許出願に基づいて提出され、且つ該中国特許出願の優先権を主張し、該中国特許出願の全ての内容は参照とし本明細書に援用される。
【０００２】
本発明は通信技術分野に関し、特にバーチャルＳＩＭカードのアクティベーションの方法及び装置に関する。
【背景技術】
【０００３】
科学技術の急速な発展に伴い、ますます多くのユーザーは仮想加入者識別モジュール（Ｓｕｂｓｃｒｉｂｅｒ  Ｉｄｅｎｔｉｔｙ  Ｍｏｄｕｌｅ、ＳＩＭ）カードを使用しており、実体ＳＩＭカードに比べ、バーチャルＳＩＭカードはユーザーに多くの利便性を提供する。バーチャルＳＩＭカードは、端末（例えば、携帯電話など）を異なる通信事業者のネットワーク間でも自動的に切り替えるようにすることができ、例示的に、ユーザーは通信事業者Ａのネットワークから通信事業者Ｂのネットワークに切り替える時、実体ＳＩＭカードを交換する必要がない。
【０００４】
関連技術において、ユーザーは、通話モードがシングルカードモードである端末でバーチャルＳＩＭカードをアクティベーションする。ユーザーがバーチャルＳＩＭカードをアクティベーションする場合に、端末は、ユーザーのオンコマンドに対するトリガーに基づいて予め設定された実体のカードスロットにバーチャルＳＩＭカードの国際携帯機器加入者識別番号（Ｉｎｔｅｒｎａｔｉｏｎａｌ  Ｍｏｂｉｌｅ  Ｓｕｂｓｃｒｉｂｅｒ  Ｉｄｅｎｔｉｆｉｃａｔｉｏｎ  Ｎｕｍｂｅｒ、ＩＭＳＩと称する）のリソース情報を配置し、さらに、ＩＭＳＩリソース情報に基づいてバーチャルＳＩＭカードのネットワークアクセス操作を実行する。
【発明の概要】
【０００５】
かかる技術課題を解決するために、本発明は、バーチャルＳＩＭカードのアクティベーションの方法及び装置を提供する。前記技術的解決手段は以下のとおりである。
【０００６】
第１態様において、
バーチャルＳＩＭカードのアクティベーションの方法であって、
バーチャルＳＩＭカードのオンコマンドを受信することと、
オンコマンドに基づき、シングルカードモードを含む、端末の現在通話モードを検出することと、
現在通話モードに基づき、現在通話モードに対応する、デュアルカードモードを含む目標通話モードを設定することと、
を含む方法を提供する。
【０００７】
本発明の第１態様において、バーチャルＳＩＭカードのオンコマンドを受信した後、端末の現在通話モードを検出することができ、端末の現在通話モードがシングルカードモードである場合に、シングルカードモードに対応するデュアルカードモードを設定することで、シングルカードモードをデュアルカードモードに変換し、シングルカードモードの端末のバーチャルＳＩＭカードと実体ＳＩＭカードが併存できる効果に達する。
【０００８】
第１態様によれば、第１実現可能な形態において、端末の現在通話モードがシングルカードモードである場合に、現在通話モードに対応する目標通話モードはデュアルカードモードであり、
現在通話モードに基づき、現在通話モードに対応する目標通話モードを設定することは、
バーチャルカードスロットにバーチャルＳＩＭカードの国際移動体加入者識別番号のリソース情報を配置することと、
国際移動体加入者識別番号のリソース情報に基づいてバーチャルＳＩＭカードのネットワークアクセス操作を実行することと、
を含む。
【０００９】
本発明の第１態様の第１実現可能な形態において、端末の現在通話モードがシングルカードモードである場合、シングルカードモードに対応するデュアルカードモードを設定することで、シングルカードモードをデュアルカードモードに変換することができ、シングルカードモードの端末のバーチャルＳＩＭカードと実体ＳＩＭカードが併存できる効果に達する。
【００１０】
第１実現可能な形態によれば、第２実現可能な形態において、現在通話モードに基づき、現在通話モードに対応する目標通話モードを設定することは、
端末の現在通話モードがシングルカードモードである場合に、モードの切替を行うか否かをユーザーに注意喚起する切替プロンプトメッセージを表示することと、
ユーザーの切替プロンプトメッセージに基づいた切替コマンドを受信することと、
切替コマンドに基づいて現在通話モードに対応する目標通話モードを設定することと、を含む。
【００１１】
本発明の第１態様の第２実現可能な形態において、端末の現在通話モードがシングルカードモードである場合、切替プロンプトメッセージを表示し、ユーザーからのトリガーとしての切替コマンドに基づいて現在通話モードに対応する目標通話モードを設定することができる。
【００１２】
第１実現可能な形態によれば、第３実現可能な形態において、切替プロンプトメッセージは音声プロンプトメッセージ又は文字プロンプトメッセージである。
【００１３】
本発明の第１態様の第３実現可能な形態において、モードの切替を行うか否かをユーザーに注意喚起するように、ユーザーに音声プロンプトメッセージ又は文字プロンプトメッセージを表示することができる。
【００１４】
第１態様によれば、第４実現可能な形態において、オンコマンドに基づいて端末の現在通話モードを検出することは、
オンコマンドに基づいて端末のモード属性パラメータを照会することと、
モード属性パラメータで示される現在通話モードを決定することと、
を含む。
【００１５】
本発明の第１態様の第４実現可能な形態において、端末のモード属性パラメータを照会することにより、端末の現在通話モードを決定する。
【００１６】
第２態様によれば、
バーチャルＳＩＭカードのアクティベーションの装置であって、
バーチャルＳＩＭカードのオンコマンドを受信するように構成された受信モジュールと、
オンコマンドに基づいてシングルカードモードを含む、端末の現在通話モードを検出するように構成された検出モジュールと、
現在通話モードに基づき、現在通話モードに対応する、デュアルカードモードを含む目標通話モードを設定するように構成された設定モジュールと、
を備える装置を提供する。
【００１７】
本発明の第２態様において、バーチャルＳＩＭカードのオンコマンドを受信した後、端末の現在通話モードを検出することができ、端末の現在通話モードがシングルカードモードである場合に、シングルカードモードに対応するデュアルカードモードを設定することで、シングルカードモードをデュアルカードモードに変換し、シングルカードモードの端末のバーチャルＳＩＭカードと実体ＳＩＭカードが併存できる効果に達する。
【００１８】
第２態様によれば、第１実現可能な形態において、端末の現在通話モードがシングルカードモードである場合に、現在通話モードに対応する目標通話モードがデュアルカードモードであり、
設定モジュールは、
バーチャルカードスロットにバーチャルＳＩＭカードの国際移動体加入者識別番号のリソース情報を配置するように構成された配置サブモジュールと、
国際移動体加入者識別番号のリソース情報に基づいてバーチャルＳＩＭカードのネットワークアクセス操作を実行するように構成された実行サブモジュールと、
を備える。
【００１９】
本発明の第２態様の第１実現可能な形態において、端末の現在通話モードがシングルカードモードである場合に、シングルカードモードに対応するデュアルカードモードを設定することで、シングルカードモードをデュアルカードモードに変換し、シングルカードモードの端末のバーチャルＳＩＭカードと実体ＳＩＭカードが併存できる効果に達する。
【００２０】
第２態様によれば、第２実現可能な形態において、設定モジュールは、
端末の現在通話モードがシングルカードモードである場合に、モードの切替を行うか否かをユーザーに注意喚起する切替プロンプトメッセージを表示するように構成された表示サブモジュールと、
ユーザーの切替プロンプトメッセージに基づいた切替コマンドを受信するように構成された受信サブモジュールと、
切替コマンドに基づいて現在通話モードに対応する目標通話モードを設定するように構成された設定サブモジュールと、
を備える。
【００２１】
本発明の第２態様の第２実現可能な形態において、端末の現在通話モードがシングルカードモードである場合、切替プロンプトメッセージを表示し、ユーザーからのトリガーとしての切替コマンドに基づいて現在通話モードに対応する目標通話モードを設定することができる。
【００２２】
第２態様によれば、第３実現可能な形態において、切替プロンプトメッセージは音声プロンプトメッセージ又は文字プロンプトメッセージである。
【００２３】
本発明の第２態様の第３実現可能な形態において、モードの切替を行うか否かをユーザーに注意喚起するように、ユーザーに音声プロンプトメッセージ又は文字プロンプトメッセージを表示することができる。
【００２４】
第３実現可能な形態によれば、第４実現可能な形態において、検出モジュールは、
オンコマンドに基づいて端末のモード属性パラメータを照会するように構成された照会サブモジュールと、
モード属性パラメータで示される現在通話モードを決定するように構成された決定サブモジュールと、
を備える。
【００２５】
本発明の第２態様の第４実現可能な形態において、端末のモード属性パラメータを照会することにより、端末の現在通話モードを決定する。
【００２６】
第３態様によれば、
バーチャルＳＩＭカードのアクティベーションの装置であって、
バーチャルＳＩＭカードのオンコマンドを受信し、
オンコマンドに基づいてシングルカードモードを含む、端末の現在通話モードを検出し、
現在通話モードに基づき、現在通話モードに対応する、デュアルカードモードを含む目標通話モードを設定するように構成された
プロセッサと、
プロセッサの実行可能なコマンドを記憶するためのメモリと、
を備える装置を提供する。
【００２７】
本発明の第３態様において、バーチャルＳＩＭカードのオンコマンドを受信した後、端末の現在通話モードを検出することができ、端末の現在通話モードがシングルカードモードである場合に、シングルカードモードに対応するデュアルカードモードを設定することで、シングルカードモードをデュアルカードモードに変換し、シングルカードモードの端末のバーチャルＳＩＭカードと実体ＳＩＭカードが併存できる効果に達する。
【００２８】
本発明により提供される技術的手段は、以下のような効果が期待できる。
【００２９】
本発明により提供されるバーチャルＳＩＭカードのアクティベーションの方法及び装置は、バーチャルＳＩＭカードのオンコマンドを受信した後、端末の現在通話モードを検出することができ、端末の現在通話モードがシングルカードモードである場合、シングルカードモードに対応するデュアルカードモードを設定することで、シングルカードモードをデュアルカードモードに変換し、シングルカードモードの端末のバーチャルＳＩＭカードと実体ＳＩＭカードが併存できる効果に達する。
【００３０】
理解すべきことは、以上の一般的な説明と後の詳細な説明は例示的なもの及び解釈ためのものに過ぎず、本願を限定するものではない。
【図面の簡単な説明】
【００３１】
添付の図面は、明細書に合併されて本明細書の一部を構成し、本発明に適合する実施例を示し、明細書と共に本発明の原理を解釈するためである。
【００３２】
【図１】図１は一つの例示的な実施例で示されたバーチャルＳＩＭカードのアクティベーションの方法のフローチャートである。
【図２−１】図２−１は一つの例示的な実施例で示されたバーチャルＳＩＭカードのアクティベーションの方法のフローチャートである。
【図２−２】図２−２は図２−１で示されたバーチャルＳＩＭカードのアクティベーションの方法においてユーザーがバーチャルＳＩＭカードをアクティベーションる画面の模式図である。
【図２−３】図２−３は図２−１で示されたバーチャルＳＩＭカードのアクティベーションの方法における端末の構成模式図である。
【図２−４】図２−４は図２−１で示されたバーチャルＳＩＭカードのアクティベーションの方法において端末の現在通話モードを検出するフローチャートである。
【図２−５】図２−５は図２−１で示されたバーチャルＳＩＭカードのアクティベーション方法において現在通話モードに対応する目標通話モードを設定するフローチャートである。
【図２−６】図２−６は図２−１で示されたバーチャルＳＩＭカードのアクティベーションの方法におけるプロンプトメッセージの表示画面図である。
【図２−７】図２−７は図２−１で示されたバーチャルＳＩＭカードのアクティベーションの方法においてシングルカードモードに対応するデュアルカードモードを設定するフローチャートである。
【図２−８】図２−８は図２−１で示されたバーチャルＳＩＭカードのアクティベーションの方法においてバーチャルＳＩＭカードをオフするフローチャートである。
【図３−１】図３−１は１つの例示的な実施例で示されたバーチャルＳＩＭカードのアクティベーションの装置のブロック図である。
【図３−２】図３−２は図３−１で示されたバーチャルＳＩＭカードのアクティベーションの装置における設定モジュールのブロック図である。
【図３−３】図３−３は図３−１で示されたバーチャルＳＩＭカードのアクティベーションの装置における別の一種の設定モジュールのブロック図である。
【図３−４】図３−４は図３−１で示されたバーチャルＳＩＭカードのアクティベーションの装置における検出モジュールのブロック図である。
【図４】図４は１つの例示的な実施例で示されたバーチャルＳＩＭカードをアクティベーションするための装置のブロック図である。
【００３３】
上記図面により、本発明の明確な実施例を示しており、後に詳述する。これらの図面と文字による説明は何れかの形態で本発明の思想の範囲を限定するものではなく、特定な実施例を参照しながら当業者にたいして本発明の概念を説明するためのものである。
【発明を実施するための形態】
【００３４】
ここで例示的な実施例について詳しく説明し、その実例は図面に示す通りである。ここで例示的な実施例について詳しく説明し、その実例は図面に示す通りである。下記の説明が図面に関わる時、別途に表示されない限り、異なる図面における同じ数字は同じ又は類似する要素を示す。以下の例示的な実施例に説明される実施形態は本発明と一致する全ての実施形態を代表するわけではない。逆に、それらは特許請求の範囲に詳細に記載された本発明の一部の態様と一致する装置と方法の例に過ぎない。
【００３５】
図１は１つの例示的な実施例で示されたバーチャルＳＩＭカードのアクティベーションの方法のフローチャートであり、端末に用いられ、該バーチャルＳＩＭカードのアクティベーションの方法は、以下のようなステップを含むことができる。
【００３６】
ステップ１０１において、バーチャルＳＩＭカードのオンコマンドを受信する。
【００３７】
ステップ１０２において、オンコマンドに基づいて端末の、シングルカードモードを含む現在通話モードを検出する。
【００３８】
ステップ１０３において、現在通話モードに基づき、現在通話モードに対応する、デュアルカードモードを含む目標通話モードを設定する。
【００３９】
上記から分かるように、本発明の実施例により提供されるバーチャルＳＩＭカードのアクティベーションの方法は、バーチャルＳＩＭカードのオンコマンドを受信した後、端末の現在通話モードを検出することができ、端末の現在通話モードがシングルカードモードである場合、シングルカードモードに対応するデュアルカードモードを設定することで、シングルカードモードをデュアルカードモードに変換し、シングルカードモードの端末のバーチャルＳＩＭカードと実体ＳＩＭカードが併存できる効果を実現する。
【００４０】
図２−１は１つの例示的な実施例で示されたバーチャルＳＩＭカードのアクティベーションの方法のフローチャートであり、端末に用いられ、該バーチャルＳＩＭカードのアクティベーションの方法は以下のようなステップを含むことができる。
【００４１】
ステップ２０１において、バーチャルＳＩＭカードのオンコマンドを受信する。
【００４２】
ユーザーが端末におけるバーチャルＳＩＭカードを使用しようとする場合に、ユーザーは端末におけるＳＩＭカードの管理画面によりバーチャルＳＩＭカードをアクティベーションすることができ、同時に、１つのバーチャルＳＩＭカードのオンコマンドを生成し、端末がバーチャルＳＩＭカードのオンコマンドを受信する。端末は、アプリケーションプロセッサ（Ａｐｐｌｉｃａｔｉｏｎ  Ｐｒｏｃｅｓｓｏｒ、ＡＰと称する）によりバーチャルＳＩＭカードのオンコマンドを受信することができる。図２−２はユーザーがバーチャルＳＩＭカードをアクティベーションするＳＩＭカードの管理画面２２を示す模式図であり、バーチャルＳＩＭカードをアクティベーションしていない時に、スイッチボタンは２２１で示された箇所に位置し、バーチャルＳＩＭカードをアクティベーションした時、スイッチボタンは２２２で示された箇所に位置する。
【００４３】
図２−３は、端末１０の構成模式図であり、該端末はＡＰ１１、変復調器（ｍｏｄｅｍ）１２、及び内部メモリ（すなわち、メモリ）１３を備える。端末１０は、携帯電話やタブレットパソコンやラップトップ型コンピュータなどであってもよい。ＡＰ１１と変復調器１２との間には１つの通信インターフェース１４を設置することができ、該通信インターフェース１４はＡＰ１１と変復調器１２との間のメッセージを伝送するのに用いられる。内部メモリ１３にはバーチャルＳＩＭカード１５が設置されている。
【００４４】
ステップ２０２において、オンコマンドに基づいて端末の現在通話モードを検出する。
【００４５】
現在通話モードは、シングルカードモードを含む。
【００４６】
好ましくは、図２−４に示すように、ステップ２０２は以下のようなサブステップを含むことができる。
【００４７】
サブステップ２０２１において、オンコマンドに基づいて端末のモード属性パラメータを照会する。
【００４８】
端末の設定ファイルにおいて、１つのモード属性パラメータは端末の通話モードを示し、該モード属性パラメータはｐｅｒｓｉｓｔ．ｒａｄｉｏ．ｍｕｌｔｉｓｉｍ．ｃｏｎｆｉｇである。
【００４９】
シングルカードモードの端末では、ｐｅｒｓｉｓｔ．ｒａｄｉｏ．ｍｕｌｔｉｓｉｍ．ｃｏｎｆｉｇ＝ｎｏｎｅであり、デュアルカードモードの端末では、ｐｅｒｓｉｓｔ．ｒａｄｉｏ．ｍｕｌｔｉｓｉｍ．ｃｏｎｆｉｇ＝ｄｓｄｓである。該モード属性パラメータの説明については関連技術を参照することができる。上記端末は、オンコマンドに基づいて端末のモード属性パラメータを照会し、モード属性パラメータに基づいて端末がシングルカードモードであるかそれともデュアルカードモードであるかを決定することができる。
【００５０】
サブステップ２０２２において、モード属性パラメータで示される現在通話モードを決定する。
【００５１】
例示的に、ｐｅｒｓｉｓｔ．ｒａｄｉｏ．ｍｕｌｔｉｓｉｍ．ｃｏｎｆｉｇ＝ｎｏｎｅである場合に、端末は、現在通話モードがシングルカードモードであると決定することができる。
【００５２】
端末の現在通話モードがシングルカードモードである場合に、現在通話モードに対応する目標通話モードはデュアルカードモードであり、端末は１つの実体カードスロットと１つのバーチャルカードスロットを含む。該バーチャルカードスロットはバーチャルＳＩＭカードに対応するネットワークアクセス認証などの操作を実行するのに用いられることができる。表１は端末の現在通話モードと現在通話モードに対応する目標通話モードの対応関係を示し、表１に示すように、シングルカードモードに対応する目標通話モードはデュアルカードモードであり、該デュアルカードモードはデュアルカードのシングル通信モードを含む。
【００５３】
【表１】
2018509006.tif 000003
【００５４】
ステップ２０２に従ってオンコマンドに基づいて端末の現在通話モードを検出した後、端末は現在通話モードに基づいて現在通話モードに対応する目標通話モードを設定する。端末の現在通話モードがシングルカードモードである場合に、現在通話モードに対応する目標通話モードがデュアルカードモードであり、好ましくは、現在通話モードに基づき、現在通話モードに対応する目標通話モードを設定する過程はステップ２０３とステップ２０４を含むことができる。
【００５５】
ステップ２０３において、バーチャルカードスロットにバーチャルＳＩＭカードのＩＭＳＩリソース情報を配置する。ステップ２０４を実行する。
【００５６】
端末はバーチャルＳＩＭカードのオンコマンドを受信した後、端末の現在通話モードがシングルカードモードであることを検出した場合に、ＡＰによりバーチャルカードスロットにバーチャルＳＩＭカードのＩＭＳＩリソース情報を配置する。
【００５７】
ステップ２０４において、ＩＭＳＩリソース情報に基づいてバーチャルＳＩＭカードのネットワークアクセス操作を実行する。
【００５８】
端末は、ＡＰによりバーチャルカードスロットにバーチャルＳＩＭカードのＩＭＳＩリソース情報を配置した後、ＩＭＳＩリソース情報に基づき、変復調器によりバーチャルＳＩＭカードのネットワークアクセス操作を実行することができる。
【００５９】
好ましくは、図２−５に示すように、現在通話モードに基づき、現在通話モードに対応する目標通話モードを設定する過程は以下のようなステップを含むことができる。
【００６０】
ステップ２０５において、端末の現在通話モードがシングルカードモードである場合に、切替プロンプトメッセージを表示する。
【００６１】
切替プロンプトメッセージはモードの切替を行うか否かようユーザーに注意喚起をするのに用いられる。好ましくは、切替プロンプトメッセージは音声プロンプトメッセージ又は文字プロンプトメッセージであってもよい。
【００６２】
端末は、バーチャルＳＩＭカードのオンコマンドを受信した後、端末の現在通話モードがシングルカードモードであることを検出した場合に、ユーザーに対して１つのプロンプトメッセージを表示することができ、シングルカードモードからデュアルカードモードへの切替を行うか否かようユーザーに注意喚起をするためである。例示的に、図２−６はプロンプトメッセージ２４の表示画面図を示し、ユーザーは「はい」ボタン２４１をクリックして、端末にシングルカードモードからデュアルカードモードへの切り替えを行わせることができ、「いいえ」ボタン２４２をクリックして該切替過程を終了することもできる。
【００６３】
サブステップ２０６において、ユーザーの切替プロンプトメッセージに基づいた切替コマンドを受信する。
【００６４】
例示的に、図２−６に示すように、ユーザーが「はい」ボタン２４１をクリックした場合に、１つの切替コマンドを生成し、端末は該切替コマンドを受信することができる。
【００６５】
サブステップ２０７において、切替コマンドに基づいて現在通話モードに対応する目標通話モードを設定する。
【００６６】
例示的に、図２−６に示すように、ユーザーが「はい」ボタン２４１をクリックした場合に、１つの切替コマンドを生成し、端末は該切替コマンドに基づいてシングルカードモードに対応するデュアルカードモードを設定することができる。
【００６７】
さらに、図２−３を参照し、図２−７に示すように、端末がシングルカードモードに対応するデュアルカードモードを設定する過程は、以下のようなサブステップを含むことができる。
【００６８】
サブステップ２５１において、ＡＰは、端末のモード属性パラメータを変更する。
【００６９】
端末の設定ファイルにおいて、１つのモード属性パラメータが端末の通話モードを示し、該モード属性パラメータはｐｅｒｓｉｓｔ．ｒａｄｉｏ．ｍｕｌｔｉｓｉｍ．ｃｏｎｆｉｇである。ＡＰは、該モード属性パラメータを動的に変更し、変更結果を変復調器に通知することができる。現在通話モードがシングルカードモードであるため、ｐｅｒｓｉｓｔ．ｒａｄｉｏ．ｍｕｌｔｉｓｉｍ．ｃｏｎｆｉｇ＝ｎｏｎｅであり、ＡＰが端末のモード属性パラメータを変更し、変更後のモード属性パラメータがｐｅｒｓｉｓｔ．ｒａｄｉｏ．ｍｕｌｔｉｓｉｍ．ｃｏｎｆｉｇ＝ｄｓｄｓである。
【００７０】
サブステップ２５２において、ＡＰは、変更後のモード属性パラメータに基づいて変復調器にバーチャルＳＩＭカードのプレオンコマンドを送信する。
【００７１】
ＡＰは、シングルカードモードの端末のモード属性パラメータを変更し、変復調器にバーチャルＳＩＭカードのプレオンコマンドを送信することで、この操作を変復調器に通知する。ＡＰは、図２−３における通信インターフェース１４を介して変復調器にバーチャルＳＩＭカードのプレオンコマンドを送信することができ、その他の方式によって変復調器にバーチャルＳＩＭカードのプレオンコマンドを送信することもでき、本発明の実施例はそれを限定しない。
【００７２】
サブステップ２５３において、変復調器はプレオンコマンドに基づいてデュアルカードモードの配置情報を設定する。
【００７３】
変復調器は、ＡＰにより送信されたバーチャルＳＩＭカードのプレオンコマンドを受信した後、プレオンコマンドに基づいてデュアルカードモードの配置情報を設定し、デュアルカードの配置を行うことができる。該配置情報の具体的な内容は関連技術を参照することができ、ここでは詳細な説明を省略する。
【００７４】
サブステップ２５４において、変復調器はプレオンコマンドとデュアルカードモードの配置情報に基づいてデュアルカードモードの通知メッセージを生成する。
【００７５】
デュアルカードモードの通知メッセージは、変復調器がバーチャルＳＩＭカードをサポートすることを示すのに用いられる。変復調器にデュアルカードモードの配置情報を設定した後、現在の変復調器がバーチャルＳＩＭカードの変復調器であることをＡＰに通知することができる。
【００７６】
サブステップ２５５において、変復調器はＡＰにデュアルカードモードの通知メッセージを送信する。
【００７７】
変復調器は、プレオンコマンドに基づいてデュアルカードモードの配置情報を設定した後、先ず再起動し、再起動した後、ＡＰにデュアルカードモードの通知メッセージを送信し、デュアルカードモードの配置情報の設定を完了したことをＡＰに通知する。
【００７８】
サブステップ２５６において、ＡＰは、デュアルカードモードの通知メッセージに基づいてバーチャルカードスロットにバーチャルＳＩＭカードのＩＭＳＩリソース情報を配置する。
【００７９】
ＩＭＳＩは移動体加入者を区別するマークであり、移動体加入者の有効情報を区別するのに用いることができる。ＡＰは、シングルカードモードの端末のバーチャルカードスロットにバーチャルＳＩＭカードのＩＭＳＩリソース情報を配置することで、バーチャルＳＩＭカードが実体ＳＩＭカードの正常使用に影響を与えず、シングルカードモードの端末のバーチャルＳＩＭカードと実体ＳＩＭカードが併存できる。
【００８０】
サブステップ２５７において、ＡＰは、ＩＭＳＩリソース情報に基づいて変復調器にバーチャルＳＩＭカードの認証コマンドを送信する。
【００８１】
ＡＰは、デュアルカードモードの通知メッセージに基づいてバーチャルカードスロットにバーチャルＳＩＭカードのＩＭＳＩリソース情報を配置した後、変復調器にバーチャルＳＩＭカードの認証コマンドを送信する。認証の役割はネットワークを保護し、不正な盗用を防止することである。認証は、不正ユーザーによるネットワークへの侵入を防止し、正当なユーザーによるネットワークへのアクセスを確保することができる。
【００８２】
サブステップ２５８において、変復調器は認証コマンドに基づいてバーチャルＳＩＭカードのネットワークアクセス操作を実行する。
【００８３】
変復調器はＡＰにより送信された認証コマンドに基づいてバーチャルＳＩＭカードのネットワークアクセス操作を実行し、バーチャルＳＩＭカードをアクティベーションする。バーチャルＳＩＭカードのネットワークアクセス操作を実行する具体的な過程については関連技術を参照することができる。ここまで、端末は、シングルカードモードに対応するデュアルカードモードの設定を完了する。バーチャルＳＩＭカードと実体ＳＩＭカードに用いられるカードスロットが異なるため、バーチャルＳＩＭカードは実体ＳＩＭカードの正常使用に影響を与えず、従って、シングルカードモードの端末のバーチャルＳＩＭカードと実体ＳＩＭカードは併存できる。
【００８４】
さらに、デュアルカードモードはデュアルカードのデュアルアクティブモードとデュアルカードのシングルアクティブモードを含み、デュアルカードのシングルアクティブモードとは、端末のバーチャルＳＩＭカードと実体ＳＩＭカードを同時に正常に使用できないことを示し、すなわち、同一時間に１つのカードのみを正常に使用でき、例えば、ユーザーがバーチャルＳＩＭカードを使用して電話をかける時、実体ＳＩＭカードは電源オフ状態となり、ユーザーが実体ＳＩＭカードを使用して電話をかける時、バーチャルＳＩＭカードは電源オフ状態となり、デュアルカードのシングルアクティブモードにおけるバーチャルＳＩＭカードと実体ＳＩＭカードは同時に電話をかけることができない。
【００８５】
デュアルカードのデュアルアクティブモードとは、端末のバーチャルＳＩＭカードと実体ＳＩＭカードを同時に正常に使用できることを示し、例えば、ユーザーがバーチャルＳＩＭカードを使用して電話をかける時、実体ＳＩＭカードに電話をかけてくる際に注意喚起され、ユーザーは、電話を受けるか否かを決定する。従って、端末は、シングルカードモードをデュアルカードのシングルアクティブモードに設定した後、ユーザーのニーズに応じてデュアルカードのシングルアクティブモードをデュアルカードのデュアルアクティブモードに設定することができ、好ましくは、デュアルカードのシングルアクティブモードをもとに、時分割多重方式によってデュアルカードのデュアルアクティブモードを実現することができ、端末のハードウェア構造を変更することによりデュアルカードのデュアルアクティブモードを実現することもでき、例えば、一つの無線電磁波を送受信するための信号送受信モジュールを増設し、例示的に、該信号送受信モジュールはアンテナであり、さらにバーチャルＳＩＭカードと実体ＳＩＭカードを同時に正常に使用できる効果に達する。時分割多重方式とアンテナを増設する具体的な過程については関連技術を参照することができ、本発明の実施例はここで詳細な説明を省略する。
【００８６】
ユーザーは、デュアルカードモードの端末の使用に慣れなていないため端末におけるバーチャルＳＩＭカードをオフにしようとする場合、端末におけるＳＩＭカードの管理画面によりバーチャルＳＩＭカードをオフにすることができ、同時に、１つのバーチャルＳＩＭカードのオフコマンドを生成し、端末がバーチャルＳＩＭカードのオフコマンドを受信し且つ該オフコマンドに基づいてバーチャルＳＩＭカードをオフにする。好ましくは、図２−３を参照して、図２−８に示すように、端末がバーチャルＳＩＭカードをオフにする過程は以下のようなサブステップを含むことができる。
【００８７】
サブステップ２８１において、ＡＰがバーチャルＳＩＭカードのオフコマンドを受信する。
【００８８】
ユーザーが端末におけるＳＩＭカードの管理画面によりバーチャルＳＩＭカードをオフにする時、１つのバーチャルＳＩＭカードのオフコマンドを生成し、ＡＰがバーチャルＳＩＭカードのオフコマンドを受信する。
【００８９】
サブステップ２８２において、ＡＰは、オフコマンドに基づいて変復調器にバーチャルＳＩＭカードのオフコマンドを送信する。
【００９０】
ＡＰは、図２−３における通信インターフェース１４を介して変復調器にバーチャルＳＩＭカードのオフコマンドを送信することができ、その他の方式により変復調器にバーチャルＳＩＭカードのオフコマンドを送信することもでき、本発明の実施例はそれに対し限定しない。
【００９１】
サブステップ２８３において、変復調器はオフコマンドに基づいてバーチャルＳＩＭカードをオフにする。
【００９２】
変復調器はＡＰにより送信されたバーチャルＳＩＭカードのオフコマンドに基づき、バーチャルＳＩＭカードをオフにする。
【００９３】
サブステップ２８４において、変復調器によりシングルカードモードの配置情報を設定する。
【００９４】
サブステップ２８５において、変復調器はシングルカードモードの配置情報に基づいてシングルカードモードの通知メッセージを生成する。
【００９５】
シングルカードモードの通知メッセージは、変復調器がシングルカードモードをサポートすることを示すのに用いられる。変復調器は、シングルカードモードの配置情報を設定した後、現在の変復調器がシングルカードモードの変復調器であることをＡＰに通知することができる。
【００９６】
サブステップ２８６において、変復調器は、ＡＰにシングルカードモードの通知メッセージを送信する。
【００９７】
サブステップ２８７において、ＡＰは、シングルカードモードの通知メッセージに基づいて端末のモード属性パラメータを変更する。
【００９８】
ステップ２５１において、ＡＰはモード属性パラメータを変更し、変更後のモードの属性パラメータがｐｅｒｓｉｓｔ．ｒａｄｉｏ．ｍｕｌｔｉｓｉｍ．ｃｏｎｆｉｇ＝ｄｓｄｓであり、ＡＰがシングルカードモードの通知メッセージを受信した後、ＡＰは端末のモード属性パラメータを再度に変更し、ｐｅｒｓｉｓｔ．ｒａｄｉｏ．ｍｕｌｔｉｓｉｍ．ｃｏｎｆｉｇの値を更にｎｏｎｅに変更する。
【００９９】
なお、関連技術において、シングルカードモードの端末について、ユーザーがバーチャルＳＩＭカードをアクティベーションする場合に、バーチャルＳＩＭカードは端末の元の実体カードスロットを用いて、実体ＳＩＭカードの使用可能なカードスロットがないため、実体ＳＩＭカードが使用できなくなり、バーチャルＳＩＭカードと実体ＳＩＭカードは併存できず、端末のモードが常にシングルカードモードである。従って、シングルカードモードの端末が解決しようとする問題は、如何にしてバーチャルＳＩＭカードと実体ＳＩＭカードを併存させるかである。本発明の実施例により提供されるバーチャルＳＩＭカードのアクティベーションの方法は、１つの実体カードスロットを有するシングルカードモードの端末にとって、実体ＳＩＭカードの正常の使用に影響を与えない状態で、バーチャルカードスロットでバーチャルＳＩＭカードのネットワークアクセス操作を実行し、バーチャルＳＩＭカードをアクティベーションした後、シングルカードモードの端末がデュアルカードモードの端末となり、バーチャルＳＩＭカードが実体ＳＩＭカードと併存することができる。そして、バーチャルＳＩＭカードをオフにした後、デュアルカードモードの端末は更にシングルカードモードの端末となり、ユーザーの正常の使用に影響を与えず、ユーザーに多大な利便性を提供する。該方法はバーチャルＳＩＭカードと実体ＳＩＭカードが併存する効果を実現して、シングルカードモードとデュアルカードモードの間の切替を実現し、ユーザーの正常の使用習慣に影響を与えない。
【０１００】
上記から分かるように、本発明の実施例により提供されるバーチャルＳＩＭカードのアクティベーションの方法は、バーチャルＳＩＭカードのオンコマンドを受信した後、端末の現在通話モードを検出することができ、端末の現在通話モードがシングルカードモードである場合、シングルカードモードに対応するデュアルカードモードを設定することで、シングルカードモードをデュアルカードモードに変換し、シングルカードモードの端末のバーチャルＳＩＭカードと実体ＳＩＭカードが併存できる効果に達する。
【０１０１】
以下は本発明にかかる装置の実施例であり、本発明にかかる方法の実施例を実行するのに用いることができる。本発明にかかる装置の実施例に開示されていない詳細については、本発明にかかる方法の実施例を参照する。
【０１０２】
図３−１は１つの例示的な実施例で示されたバーチャルＳＩＭカードのアクティベーションの装置のブロック図であり、端末に用いられ、該バーチャルＳＩＭカードのアクティベーションの装置は、
仮想加入者識別モジュールＳＩＭカードのオンコマンドを受信するように構成された受信モジュール５１０と、
第１の受信モジュール５１０により受信されたオンコマンドに基づいて端末の、シングルカードモードを含む現在通話モードを検出するように構成された検出モジュール５２０と、
検出モジュール５２０により検出された現在通話モードに基づき、現在通話モードに対応する、デュアルカードモードを含む目標通話モードを設定するように構成された設定モジュール５３０とを備えることができる。
【０１０３】
上記から分かるように、本発明の実施例により提供されるバーチャルＳＩＭカードのアクティベーションの装置は、バーチャルＳＩＭカードのオンコマンドを受信した後、端末の現在通話モードを検出することができ、端末の現在通話モードがシングルカードモードである場合、シングルカードモードに対応するデュアルカードモードを設定することで、シングルカードモードをデュアルカードモードに変換し、シングルカードモードの端末のバーチャルＳＩＭカードと実体ＳＩＭカードが併存できる効果に達する。
【０１０４】
端末の現在通話モードがシングルカードモードである場合に、現在通話モードに対応する目標通話モードがデュアルカードモードである。
【０１０５】
図３−２は図３−１で示されたバーチャルＳＩＭカードのアクティベーションの装置における設定モジュール５３０のブロック図である。
【０１０６】
好ましくは、設定モジュール５３０は、
バーチャルカードスロットにバーチャルＳＩＭカードのＩＭＳＩリソース情報を配置するように構成される配置サブモジュール５３１と、
配置サブモジュール５３１により配置されたＩＭＳＩリソース情報に基づいてバーチャルＳＩＭカードのネットワークアクセス操作を実行するように構成される実行サブモジュール５３２とを含む。
【０１０７】
図３−３は図３−１で示されたバーチャルＳＩＭカードのアクティベーションの装置における別の設定モジュール５３０のブロック図である。
【０１０８】
好ましくは、設定モジュール５３０は、
端末の現在通話モードがシングルカードモードである場合に、モードの切替を行うか否かをユーザーに注意喚起する切替プロンプトメッセージを表示するように構成される表示サブモジュール５３３と、
ユーザーの表示サブモジュール５３３に表示された切替プロンプトメッセージに基づいた切替コマンドを受信するように構成される受信サブモジュール５３４と、
受信サブモジュール５３４により受信された切替コマンドに基づいて現在通話モードに対応する目標通話モードを設定するように構成される設定サブモジュール５３５とを含む。
【０１０９】
好ましくは、切替通知メッセージは、音声通知メッセージ又は文字通知メッセージである。
【０１１０】
図３−４は図３−１で示されたバーチャルＳＩＭカードのアクティベーションの装置における検出モジュール５２０のブロック図である。
【０１１１】
好ましくは、検出モジュール５２０は、
受信モジュール５１０により受信されたオンコマンドに基づいて端末モード属性パラメータを照会するように構成される照会サブモジュール５２１と、
照会サブモジュール５２１により照会されたモード属性パラメータが示す現在通話モードを決定するように構成された決定サブモジュール５２２とを含む。
【０１１２】
上記から分かるように、本発明の実施例により提供されるバーチャルＳＩＭカードのアクティベーションの装置は、バーチャルＳＩＭカードのオンコマンドを受信した後、端末の現在通話モードを検出することができ、端末の現在通話モードがシングルカードモードである場合に、シングルカードモードに対応するデュアルカードモードを設定することで、シングルカードモードをデュアルカードモードに変換し、シングルカードモードの端末のバーチャルＳＩＭカードと実体ＳＩＭカードが併存できる効果に達する。
【０１１３】
図３−１に示すようなバーチャルＳＩＭカードのアクティベーションの装置は、図２−１に示すような方法プロセスを実行するのに用いられる。
【０１１４】
図３−２に示すような設定モジュールは、図２−１に示すような方法フローチャートを実行するのに用いられる。
【０１１５】
図３−３に示すような設定モジュールは、図２−５に示すような方法フローチャートを実行するのに用いられる。
【０１１６】
図３−４に示すような検出モジュールは、図２−４に示すような方法フローチャートを実行するのに用いられる。
【０１１７】
図４は１つの例示的な実施例で示されたバーチャルＳＩＭカードをアクティベーションするのに用いられる装置７００のブロック図である。例えば、装置７００は、携帯電話、コンピュータ、デジタル放送端末、メッセージ送受信装置、ゲームコンソール、タブレット型装置、医療機器、運動器具、個人用デジタル補助装置などであってもよい。
【０１１８】
図４を参照し、装置７００は、処理部７０２、メモリ７０４、電源部７０６、マルチメディア部７０８、オーディオ部７１０、入力／出力（Ｉ／Ｏ）のインターフェース７１２、センサ部７１４、及び通信部７１６のうちの一つ又は複数の部を含んでもいい。
【０１１９】
処理部７０２は、一般的に制御装置７００の全体的操作、例えば、表示、電話の呼び出し、データ通信、カメラ操作及び記録操作に関する操作を制御する。処理部７０２は、上記方法の全部又は一部のステップを完成するために、コマンドを実行するための一つ又は複数のプロセッサ７２０を備えてもいい。なお、処理部７０２は、処理部７０２と他の部とのインターラクションを行うように、１つ又は複数のモジュールを備えてもいい。例えば、処理部７０２は、マルチメディア部７０８と処理部７０２との間のインターラクションを行うように、マルチメディアモジュールを備えてもいい。
【０１２０】
メモリ７０４は、装置７００の操作を支持するように、様々な種類のデータを記憶するように構成される。これらのデータの示例は、装置７００において操作されるすべてのアプリケーションプログラム又は方法のコマンド、連絡先データ、電話帳データ、メッセージ、画像、ビデオなどを含む。メモリ７０４は、全ての種類の揮発性又は不揮発性メモリ又はそれらの組み合わせ、例えば、スタティックランダムアクセスメモリ（ＳＲＡＭ、ｓｔａｔｉｃ  ｒａｎｄｏｍ  ａｃｃｅｓｓ  ｍｅｍｏｒｙ）、電気的消去可能なプログラム可能な読み取り専用メモリー（ＥＥＰＲＯＭ、Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、消去可能なプログラム可能な読み取り専用メモリー（ＥＰＲＯＭ、Ｅｒａｓａｂｌｅ  Ｐｒｏｇｒａｍｍａｂｌｅ  Ｒｅａｄ  Ｏｎｌｙ  Ｍｅｍｏｒｙ）、プログラム可能な読み取り専用メモリー（ＰＲＯＭ、Ｐｒｏｇｒａｍｍａｂｌｅ  Ｒｅａｄ  Ｏｎｌｙ  Ｍｅｍｏｒｙ）、読み取り専用メモリー（ＲＯＭ、Ｒｅａｄ  Ｏｎｌｙ  Ｍｅｍｏｒｙ）、磁気メモリー、フラッシュメモリー、磁気ディスク又は光ディスクにより実現することができる。
【０１２１】
電源部７０６は、装置７００の各種の部へ電力を提供する。電源部７０６は、電源管理システム、１つ又は複数の電源、及び他の装置７００に対する電力の生成、管理及び供給に関連する部を備えてもいい。
【０１２２】
マルチメディア部７０８は、上記装置７００とユーザーとの間の出力インターフェースを提供するスクリーンを備える。一部の実施例において、スクリーンは液晶ディスプレイ（ＬＣＤ）とタッチパネル（ＴＰ）を備えてもいい。スクリーンにタッチパネルを備える場合に、ユーザーからの入力信号を受信するように、スクリーンがタッチパネルとして実現されてもいい。タッチパネルは、タッチ、スワイプ及びタッチパネルにおけるジェスチャーを検知するように、１つ又は複数のタッチセンサを備えてもいい。上記タッチセンサは、タッチ又はスワイプ動作の境界を検知するだけでなく、上記タッチ又はスワイプ動作に関する持続時間及び圧力を検出することができる。一部の実施例において、マルチメディア部７０８は、フロントカメラ及び／又はバックカメラを備える。装置７００が操作モードである場合に、例えば、撮影モード又はビデオモードである場合に、フロントカメラ及び／又はバックカメラが外部のマルチメディアデータを受信してもいい。各フロントカメラとバックカメラは、固定された光学レンズシステムであってもよく、又は焦点距離と光学ズーム能力を有する。
【０１２３】
オーディオ部７１０は、オーディオ信号を出力及び／又は入力するように構成される。例えば、オーディオ部７１０は、マイクロフォン（ＭＩＣ）を備え、装置７００が操作モードである場合、例えば、呼出モード、記録モードと音声認識モードである場合に、マイクロフォンが外部のオーディオ信号を受信するように構成される。受信されたオーディオ信号は、さらにメモリ７０４に記憶され、又は通信部７１６を介して送信される。一部の実施例において、オーディオ部材７１０は、オーディオ信号を出力するスピーカーをさらに備える。
【０１２４】
Ｉ／Ｏインターフェース７１２は、処理部７０２と周辺インターフェースモジュールとの間にインターフェースを提供し、上記周辺インターフェースモジュールはキーボード、クリックホイール、ボタンなどであってもよい。こられのボタンは、ホームボタン、音量ボタン、起動ボタンとロックボタンを備えることができるが、それに限定されない。
【０１２５】
センサ部７１４は、装置７００に対して各方面の状態評価を提供する１つ又は複数のセンサを備える。例えば、センサ部７１４は、装置７００のオン／オフ状態、部材の相対的位置決め（例えば、上記部材が装置７００であるディスプレイ及びキーパッド）を検出してもいい。センサ部７１４は、さらに装置７００又は装置７００の一つの部材の位置変化、ユーザーと装置７００との接触があるか又はないか、装置７００の方角又は加速／減速及び装置７００の温度変化を検出してもいい。センサ部７１４は、如何なる物理的接触がない時に、近傍の物体の存在を検出するように構成される近接センサを備えてもいい。センサ部７１４は、さらにイメージングアプリケーションに用いられる光学センサ、例えば、ＣＭＯＳ又はＣＣＤイメージセンサを備えてもいい。一部の実施例において、該センサ部７１４は、さらに加速度センサ、ジャイロセンサ、磁気センサ、圧力センサ又は温度センサを備えてもいい。
【０１２６】
通信部７１６は、装置７００と他の設備との有線又は無線方式の通信に利便性を与えるように構成される。装置７００は、通信規格に基づく無線ネットワーク、例えば、Ｗｉ−Ｆｉ、２Ｇ又は３Ｇ、又はそれらの組み合わせにアクセスすることができる。一例示的な実施例において、通信部７１６は、ブロードキャストチャネルを経由して外部ブロードキャスト管理システムからのブロードキャスト信号又はブロードキャストの関連情報を受信する。１つの一例示的な実施例では、上記通信部７１６は、近距離通信を促進するために、近接場通信（ＮＦＣ）モジュールを更に備える。例えば、ＮＦＣモジュールでは、ラジオ周波数識別（ＲＦＩＤ）技術、赤外線データ協会（ＩｒＤＡ）技術、ウルトラワイドバンド（ＵＷＢ）技術、ブルートゥース（ＢＴ）（登録商標）技術及び他の技術に基づいて実現することができる。
【０１２７】
例示的な実施例では、装置７００は、１つ又は複数の特定用途向け集積回路（ＡＳＩＣ）、デジタル信号プロセッサ（ＤＳＰ）、デジタル信号処理装置（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又は他の電子部品により実現され、上記方法を実行するためである。
【０１２８】
例示的な実施例では、コマンドを含む非一時的コンピュータ可読記憶媒体を更に提供し、例えば、コマンドを含むメモリ７０４を提供し、上記方法を実現するように、上記コマンドは装置７００のプロセッサ７２０で実行されてもよい。例えば、非一時的なコンピュータ可読記憶媒体は、ＲＯＭ、ランダムアクセスメモリ（ＲＡＭ）、ＣＤ−ＲＯＭ、磁気テープ、フロッピーディスク及び光データ記憶装置などであってもよい。
【０１２９】
非一時的なコンピュータ可読記憶媒体において、上記記憶媒体におけるコマンドが装置７００のプロセッサにより実行される場合に、装置７００に上記各実施例により提供されるバーチャルＳＩＭカードのアクティベーションの方法を実行できるようにする。該方法は、
バーチャルＳＩＭカードのオンコマンドを受信することと、
オンコマンドに基づいてシングルカードモードを含む端末の現在通話モードを検出することと、
現在通話モードに基づき、現在通話モードに対応する、デュアルカードモードを含む目標通話モードを設定することとを備えてもいい。
【０１３０】
当業者であれば、明細書を考慮しここに開示された発明を実践した後、本公開のその他の実施態様を容易に想到できる。本発明は、本公開の如何なる変形、用途又は適応的変化を含むためのものであり、これらの変形、用途又は適応的変化は本発明の一般的な原理に準じ、本発明の開示されていない当該技術分野における周知知識又は慣用の技術手段を含む。明細書と実施例は例示的なものに過ぎず、本発明の実際の範囲と精神は特許請求の範囲により与えられる。
【０１３１】
ここで理解すべきことは、本発明は既に上記のように説明され、図面に示された精確な構成に限定されず、その範囲を逸脱しない限りにおいて様々な修正や変更を行うことができる。本発明の範囲は特許請求の範囲のみにより限定される。
【図１】
2018509006.tif 000004
【図２−１】
2018509006.tif 000005
【図２−２】
2018509006.tif 000006
【図２−３】
2018509006.tif 000007
【図２−４】
2018509006.tif 000008
【図２−５】
2018509006.tif 000009
【図２−６】
2018509006.tif 000010
【図２−７】
2018509006.tif 000011
【図２−８】
2018509006.tif 000012
【図３−１】
2018509006.tif 000013
【図３−２】
2018509006.tif 000014
【図３−３】
2018509006.tif 000015
【図３−４】
2018509006.tif 000016
【図４】
2018509006.tif 000017
【国際調査報告】
2018509006.tif 000018
2018509006.tif 000019
2018509006.tif 000020
2018509006.tif 000021